(57)【要約】【課題】簡単な構成で文字入力を容易かつ正確に行うことができる車両用電装品の操作装置を提供する。【解決手段】車両に搭載された車両電装品を操作するスイッチ手段４と、このスイッチ手段４により選択される文字の表示手段２とを備えた車両電装品の操作装置において、上記表示手段には、スイッチ手段４により選択される複数の文字が縦方向に配列された文字列を表示する縦表示部が設けられるとともに、上記スイッチ手段４には、縦表示部に表示される文字列を上下方向にスクロールさせて任意の文字を入力位置に移動させる上下スイッチ１０からなるスクロールスイッチと、この入力位置に移動した文字を選択して文字入力を行う入力スイッチとが設けられた。【選択図】図３
2008049817.tif 000002
【特許請求の範囲】
【請求項１】
車両に搭載された車両電装品を操作するスイッチ手段と、このスイッチ手段により選択される文字の表示手段とを備えた車両電装品の操作装置において、上記表示手段には、スイッチ手段により選択される複数の文字が縦方向に配列された文字列を表示する縦表示部が設けられるとともに、上記スイッチ手段には、縦表示部に表示される文字列を上下方向にスクロールさせて任意の文字を入力位置に移動させる上下スイッチからなるスクロールスイッチと、この入力位置に移動した文字を選択して文字入力を行う入力スイッチとが設けられたことを特徴とする車両電装品の操作装置。
【請求項２】
縦表示部の上端部および下端部の少なくとも一方に、複数の文字が横方向に配列された文字列を表示する横表示部が連設されるとともに、この横表示部に表示される文字列が上記縦表示部の文字列と連動してスクロールするように構成されたことを特徴とする請求項１に記載の車両電装品の操作装置。
【請求項３】
縦表示部の上端部および下端部にそれぞれ横表示部が連設されるとともに、両横表示部が互いに異なる方向に延びるように配列されたことを特徴とする請求項２に記載の車両電装品の操作装置。
【請求項４】
縦表示部の上端部および下端部にそれぞれ横表示部が連設されるとともに、両横表示部がそれぞれ同じ方向に延びるように配列されたことを特徴とする請求項２に記載の車両電装品の操作装置。
【請求項５】
第１縦表示部の上端部および下端部に連設された両横表示部の先端部同士を連結するように、複数の文字が縦方向に配列された文字列が表示される第２縦表示部が配設されるとともに、この第２縦表示部に表示される文字列が上記第１縦表示部および両横表示部の文字列と連動してスクロールするように構成されたことを特徴とする請求項４に記載の車両電装品の操作装置。
【請求項６】
スイッチ手段がステアリングホイールに設けられたことを特徴とする請求項１〜５のいずれか１項に記載の車両電装品の操作装置。
【発明の詳細な説明】
【技術分野】
【０００１】
本発明は、車両に搭載された車両電装品を操作するスイッチ手段と、このスイッチ手段により選択される文字が表示される表示手段とを備えた車両電装品の操作装置に関するものである。
【背景技術】
【０００２】
従来、下記特許文献１に示されるように、自動車のステアリングホイール（ハンドル）に配置されるとともに、ステアリングホイールに対して回転自在に設けられたキーボード本体を備えた自動車用キー入力装置において、上記キーボード本体に配設された少なくとも上下４段左右３列のメインキーを操作することにより、車両に搭載されたナビゲーション装置等からなる車両用電装品に対する所定の指示信号を入力してその作動状態を制御すること、例えばナビゲーション装置に対して目的地を文字入力する等により、目的地までの経路をナビディスプレイ上に表示させることが行われている。
【特許文献１】特開２００１−３２２５１６号公報
【発明の開示】
【発明が解決しようとする課題】
【０００３】
上記特許文献１に開示されているように、自動車のステアリングホイールに、目的地等を文字入力するためのキーボード本体を配設するように構成した場合、その設置スペースが限られているので、このキーボード本体に使用される全ての文字キーを配設することは困難であり、一つのキーに複数文字を入力するための機能を持たせるとともに、キーの操作回数に応じて入力文字を選択することが行われている。しかし、このように構成した場合には、キーの操作回数が多くなるとともに、入力ミスが生じ易いという問題があり、この入力ミスを修正するには、さらにキー操作を繰り返さなければならず、このキー操作が極めて煩雑であるという問題があった。
【０００４】
また、図９に示すように、車両のインストルメントパネル等に、Ａ〜Ｚからなる英文字および所定の文字記号等が横方向に配列されて表示された液晶表示部２１を設置するとともに、ステアリングホイールに設けられた左右スイッチ等からなる入力スイッチの操作に応じ、上記液晶表示部２１上において文字の入力マーク２２を移動させることにより、上記英文字等から特定の文字を選択して目的地を入力操作することも考えられるが、このように構成した場合には、ステアリングハンドルを把持しつつ、親指を使用して左右スイッチを微妙に操作する等により所望の文字が配設された部位に、上記入力マーク２２を迅速かつ適正に移動させることが困難であり、入力操作性が悪いという問題があった。
【０００５】
本発明は、上記の問題点に鑑みてなされたものであり、簡単な構成で文字入力を容易かつ正確に行うことができる車両用電装品の操作装置を提供することを目的としている。
【課題を解決するための手段】
【０００６】
請求項１に係る発明は、車両に搭載された車両電装品を操作するスイッチ手段と、このスイッチ手段により選択される文字の表示手段とを備えた車両電装品の操作装置において、上記表示手段には、スイッチ手段により選択される複数の文字が縦方向に配列された文字列を表示する縦表示部が設けられるとともに、上記スイッチ手段には、縦表示部に表示される文字列を上下方向にスクロールさせて任意の文字を入力位置に移動させる上下スイッチからなるスクロールスイッチと、この入力位置に移動した文字を選択して文字入力を行う入力スイッチとが設けられたものである。
【０００７】
請求項２に係る発明は、上記請求項１に記載の車両電装品の操作装置において、縦表示部の上端部および下端部の少なくとも一方に、複数の文字が横方向に配列された文字列を表示する横表示部が連設されるとともに、この横表示部に表示される文字列が上記縦表示部の文字列と連動してスクロールするように構成されたものである。
【０００８】
請求項３に係る発明は、上記請求項２に記載の車両電装品の操作装置において、縦表示部の上端部および下端部にそれぞれ横表示部が連設されるとともに、両横表示部が互いに異なる方向に延びるように配列されたものである。
【０００９】
請求項４に係る発明は、上記請求項２に記載の車両電装品の操作装置において、縦表示部の上端部および下端部にそれぞれ横表示部が連設されるとともに、両横表示部がそれぞれ同じ方向に延びるように配列されたものである。
【００１０】
請求項５に係る発明は、上記請求項４に記載の車両電装品の操作装置において、第１縦表示部の上端部および下端部に連設された両横表示部の先端部同士を連結するように、複数の文字が縦方向に配列された文字列が表示される第２縦表示部が配設されるとともに、この第２縦表示部に表示される文字列が上記第１縦表示部および両横表示部の文字列と連動してスクロールするように構成されたものである。
【００１１】
請求項６に係る発明は、上記請求項１〜５のいずれか１項に記載の車両電装品の操作装置において、スイッチ手段がステアリングホイールに設けられたものである。
【発明の効果】
【００１２】
請求項１に係る発明では、上記上下スイッチからなるスクロールスイッチの操作に応じて縦表示部に表示される文字列を上下方向にスクロールさせることにより、任意の文字を容易かつ迅速に入力位置に移動させることができるとともに、上記入力スイッチの操作に応じて入力位置にある文字を選択することにより、ナビゲーション装置に目的地の地名を入力する等の操作を容易に行うことが可能である等の利点がある。
【００１３】
請求項２に係る発明では、縦表示部の上端部または下端部に、複数の文字が横方向に配列された文字列を表示する横表示部を連設するとともに、この横表示部に表示される文字列を上記縦表示部の文字列と連動してスクロールさせるように構成したため、上記表示手段が横長に形成されている場合でも、この表示手段に多数の文字を表示させることが可能であり、この表示手段に表示された文字列に応じてそのスクロール量を適正に判別することにより、所望の文字を入力位置へ迅速に移動させることができる。
【００１４】
請求項３に係る発明では、縦表示部の上端部および下端部に、複数の文字が横方向に配列された文字列を表示する横表示部を連設するとともに、これらの横表示部に表示される文字列を上記縦表示部の文字列と連動してスクロールさせるように構成したため、上記縦表示部の文字列を何れの方向にスクロールさせれば、所望の文字を入力位置へ迅速に移動させることができるのかを、上記両横表示に表示された文字列に基づいて容易に判別できる等の利点がある。
【００１５】
請求項４に係る発明では、縦表示部の上端部および下端部にそれぞれ横表示部を連設するとともに、これらの横表示部をそれぞれ同じ方向に延出させるように構成したため、表示手段の上下寸法および左右寸法をそれぞれコンパクト化しつつ、多数の文字を上記表示手段に表示することが可能であり、上記縦表示部の文字列を何れの方向にスクロールさせれば、所望の文字を入力位置へ迅速に移動させることができるのかを、上記両横表示に表示された文字列に基づいて容易に判別することができる。
【００１６】
請求項５に係る発明によれば、上記第１，第２縦表示部および両横表示部により形成された環状表示部に沿って上記文字列を循環させるようにスクロールさせることができるため、入力しようとする文字と入力位置との相対関係を一目で確認できるとともに、表示手段を、よりコンパクトに形成できるという利点がある。
【００１７】
請求項６に係る発明によれば、運転者がステアリングホイールから手を離すことなく、上記スクロールスイッチを操作することができるため、上記表示手段に表示された各文字の一つを入力位置に移動させる操作を容易に行うことができるという利点がある。
【発明を実施するための最良の形態】
【００１８】
図１〜図４は本発明に係る車両用電装品の操作装置の実施形態を示している。この操作装置は、インストルメントパネル１の上部中央付近に設置された表示手段２と、ステアリングホイール３に設けられたスイッチ手段４と、ナビゲーション装置５等からなる車両用電装品と、上記スイッチ手段４の操作に応じて表示手段２に表示される文字を変化させるとともに、上記ナビゲーション装置５の操作制御を実行するするコントローラ６とを備えている。
【００１９】
上記表示手段２は、複数の文字が書き換え可能に表示される液晶表示パネル等からなっている。この液晶表示パネルからなる表示手段２には、図４に示すように、上下方向に延びる縦表示部７と、この縦表示部７の上端部に連設されて左方向に延びる第１横表示部８と、上記縦表示部７の下端部に連設されて右方向に延びる第２横表示部９とが設けられている。そして、上記縦表示部７および第１，第２横表示部８，９には、Ａ〜Ｚからなる英文字と、アンダーバーおよびアンド記号等からなる文字記号とが連続的に配列された文字列が表示されるとともに、この文字列が、後述するように上記スイッチ手段４の入力信号に応じてスクロールするように構成されている。
【００２０】
上記スイッチ手段４は、図２に示すように、上下方向に揺動操作される操作レバー１０ａを有するトグルスイッチからなる上下スイッチ１０と、その左右に配設された押しボタンスイッチからなる左スイッチ１１および右スイッチ１２とを有し、これらの上下スイッチ１０および左右スイッチ１１，１２の下方には、ナビゲーション装置５用の押しボタンスイッチからなるリターンスイッチ１３〜１５等が配設されている。
【００２１】
上記上下スイッチ１０は、その操作レバー１０ａを上方または下方に揺動操作することにより、表示手段２の縦表示部７および第１，第２横表示部８，９に表示される文字列をスクロールさせるスクロール信号をコントローラ６に入力するスクロールスイッチとしての機能と、上記操作レバー１０ａを押圧してその下方に配設された圧力スイッチをＯＮ操作することにより、縦表示部７の中央に設けられた入力位置１６に移動した文字を選択して文字入力するための指示信号を上記コントローラ６に入力する入力スイッチとしての機能とを有するものである。また、上記スイッチ手段４に設けられた左スイッチ１１および上記右スイッチ１２は、表示手段２に表示される文字を上記英文字からドイツ文字または数字等に切り替えるための指示信号を上記コントローラ６に入力する切替スイッチとしての機能を有するものである。
【００２２】
コントローラ６には、図３に示すように、上記上下スイッチ１０からなるスクロールスイッチおよび上記左右スイッチ１１，１２からなる切替スイッチの出力信号に応じて表示手段２の表示内容を変化させる制御を実行する表示制御部１７と、上記上下スイッチ１０の出力信号に応じて選択された入力文字を上記ナビゲーション装置５に出力する等により、その操作制御を実行する操作制御部１８とが設けられている。
【００２３】
上記表示制御部１７は、上下スイッチ１０の操作レバー１０ａが上方または下方に揺動する操作が行われた場合に、上記表示手段２の縦表示部７に表示される文字列を上方または下方にスクロールさせる制御信号を上記表示手段２に出力することにより、上記入力位置１６に表示される文字を変化させるとともに、これに連動して上記第１，第２横表示部８，９に表示される文字列を横スクロールさせる制御信号を上記表示手段２に出力するように構成されている。
【００２４】
例えば、図４に示すように、上記縦表示部７の入力位置１６に文字「Ｏ」が表示された状態で、上記上下スイッチ１０の操作レバー１０ａが上方に単発的に揺動操作された場合には、図５に示すように、上記入力位置１６に表示される文字を「Ｎ」に変化させるとともに、これに連動して上方の第１横表示部８に表示される文字列を左方向に一文字分だけ横スクロールさせ、かつ上記第２横表示部９に表示される文字列を右方向に一文字分だけ横スクロールさせる制御が上記表示制御部１７において実行されるようになっている。
【００２５】
一方、上記入力位置１６に文字「Ｏ」が表示された状態で、上下スイッチ１０の操作レバー１０ａが下方に単発的に揺動操作された場合には、図６に示すように、上記入力位置１６に表示される文字を「Ｐ」に変化させるとともに、これに連動して上方の第１横表示部８に表示される文字列を右方向に一文字分だけ横スクロールさせ、かつ上記第２横表示部９に表示される文字列を左方向に一文字分だけ横スクロールさせる制御が実行されることになる。なお、上記第１，第２横表示部８に表示される文字列の横スクロールに応じ、第１，第２横表示部８，９の一方の端部に表示される文字「Ｚ」または「Ｙ」が、他方の端部に移動するように構成されている。
【００２６】
また、上記上下スイッチ１０の操作レバー１０ａを上方または下方に連続的に揺動操作する長押しが行われた場合には、上記表示手段２の縦表示部７に表示される文字列を上方または下方に連続的にスクロールさせる制御信号が上記表示手段２に連続して出力されることにより、縦表示部７の入力位置１６に表示される文字を順次、変化させるとともに、これに連動して上記第１，第２横表示部８，９に表示される文字列を連続的に横スクロールさせる制御が上記表示制御部１７において実行される。
【００２７】
さらに、上記左右スイッチ１１，１２からなる切替スイッチが押圧操作されると、表示手段２の縦表示部７および第１，第２横表示部８，９に表示される文字が、英文字からドイツ文字または数字等に切り替えられるとともに、これに応じて上記上下スイッチ１０の操作レバー１０ａが押圧されることにより選択される入力文字が上記ドイツ文字等に変化することになる。
【００２８】
上記のようにして表示手段２の入力位置１６に所望の文字が移動した状態で、上記操作レバー１０ａが押圧操作されると、該当する文字のデータが上記操作制御部１８からナビゲーション装置５に出力されることにより、このナビゲーション装置５の操作制御が行われるようになっている。すなわち、上記上下スイッチ１０の操作レバー１０ａが上下方向に揺動操作されることにより上記縦表示部７の入力位置１６に移動した文字を、上記操作レバー１０ａの押圧操作に応じて選択する入力操作が行われた場合に、上記文字のデータをナビゲーション装置５に出力することにより、目的地の地名を文字入力して目的地までの経路をナビディスプレイ上に表示させる等の制御が上記操作制御部１８において実行されるように構成されている。
【００２９】
上記のように車両に搭載されたナビゲーション装置５からなる車両電装品を操作するスイッチ手段４と、このスイッチ手段４により選択される文字の表示手段２とを備えた車両電装品の操作装置において、上記表示手段２に、スイッチ手段４により選択される複数の文字が縦方向に配列された文字列を表示する縦表示部７を設けるとともに、上記スイッチ手段４に、縦表示部７に表示される文字列を上下方向にスクロールさせて任意の文字を入力位置１６に移動させる上下スイッチ１０からなるスクロールスイッチと、この入力位置１６に移動した文字を選択して文字入力を行う入力スイッチとを設けたため、簡単な構成で文字入力を容易かつ正確に行うことができるという利点がある。
【００３０】
すなわち、上記上下スイッチ１０の操作レバー１０ａを上方または下方に揺動する操作に応じ、上記縦表示部７に表示される文字列を上下方向にスクロールさせるように構成したため、上記上下スイッチ１０の操作方向と縦表示部７における文字列のスクロール方向とを一致させることができ、上下スイッチ１０を何れの方向に操作すれば、所望の文字を入力位置１６に移動させることができるのかを容易に認識することができる。したがって、上記上下スイッチ１０の操作に応じて入力しようとする文字を入力位置１６に迅速かつ正確に移動させることができるとともに、この入力位置１６において上記文字を選択することにより、ナビゲーション装置５に目的地の地名を入力する等の操作を容易に行うことができるという利点がある。
【００３１】
しかも、上記上下スイッチ１０からなるスクロールスイッチの操作レバー１０ａを上方または下方に揺動する操作に応じ、表示手段２の縦表示部７等に表示された文字列を順次変化させることにより、いわばゲーム感覚で文字入力を行うことができるため、この文字の入力操作を容易かつ迅速に入力することができる。そして、上記のように操作レバー１０ａを上下動させることにより縦表示部７の入力位置１６に所望の文字を移動させた後、上記操作レバー１０ａを親指で押圧するだけで上記文字の入力操作を容易に行うことができる。
【００３２】
さらに、親指等を使用した上記上下スイッチ１０の操作レバー１０ａを上方または下方に揺動する操作は、左右スイッチ１１，１２等を押圧して左右に配列された文字列に沿ってカーソルを移動させる操作に比べ、正確かつ迅速に行うことができるという利点がある。例えば、上記操作レバー１０ａを上方に揺動操作して縦表示部１において表示される文字列をスクロールさせる際に、このスクロールが行き過ぎで所望の文字を入力位置１６に停止させることに失敗した場合には、上記操作レバー１０ａを逆方向（下方）に揺動操作することにより、上記スクロールの行き過ぎを容易に修正して所望の文字を上記入力位置１６に正確に停止させることができる。
【００３３】
また、上記実施形態に示すように、縦表示部７の上端部および下端部に、複数の文字が横方向に配列された文字列を表示する第１，第２横表示部８，９を連設するとともに、この第１，第２横表示部８，９に表示される文字列を上記縦表示部７の文字列と連動してスクロールさせるように構成した場合には、上記第１，第２横表示部８，９に表示された文字列を確認することにより、上記上下スイッチ１０からなるスクロールスイッチを何れの方向に操作して、どれだけスクロールさせれば、所望の文字を入力位置１６へ迅速に移動させることができるのかを容易に判別できるという利点がある。しかも、上記表示手段２の視認性を向上させるために、この表示手段２が横長形状に形成されるとともに、これに起因して上記縦表示部７に表示される文字数が限られている場合でも、多数の英文字等を上記表示手段２においてコンパクトに表示させることができるため、上記文字の入力操作性を効果的に向上させることができる。
【００３４】
特に、上記実施形態に示すように、縦表示部７の上端部および下端部にそれぞれ横表示部８，９を連設するとともに、第１，第２横表示部８，９を互いに異なる方向に延出させるように構成した場合には、上記縦表示部７を挟んで第１横表示部８と第２横表示部９とを左右に連続して配設することができるため、上記入力位置１６における文字の入力操作性を損なうことなく、上下スイッチ１０からなるスクロールスイッチを何れの方向にどの程度だけ揺動操作すればよいかを、より容易かつ適正に判別できるという利点がある。
【００３５】
なお、上記第１，第２横表示部８，９の一方または両方を省略した構造としてもよく、また図７に示すように、縦表示部７の上端部および下端部にそれぞれ横表示部８，９を連設するとともに、これらの第１，第２横表示部８，９をそれぞれ同じ方向に延出させるように構成してもよい。このように第１，第２横表示部８，９をそれぞれ同じ方向に延出させた場合には、表示手段２の上下寸法および左右寸法をそれぞれコンパクト化しつつ、全ての英文字等を上記表示手段２に表示することが可能であるという利点がある。
【００３６】
さらに、図８に示すように、中央が入力位置１６として設定された第１縦表示部７の上端部および下端部からそれぞれ同方向に延びるように上記第１，第２横表示部８，９を連設するとともに、その先端部同士を連結するように、複数の文字が縦方向に配列された文字列が表示される第２縦表示部１９を配設し、この第２縦表示部１９に表示される文字列を上記第１縦表示部７および両横表示部８，９の文字列と連動させてスクロールさせるように構成してもよい。このように構成した場合には、上記第１，第２縦表示部７，１９および第１，第２横表示部８，９により形成されたロ字形の環状表示部に沿って上記文字列を循環させるようにスクロールさせることができるため、入力しようとする文字と上記入力位置１６との相対関係を一目で確認できるとともに、表示手段２を、よりコンパクトに形成できるという利点がある。
【００３７】
また、上記実施形態に示すように、上記スクロールスイッチおよび入力スイッチを構成する上下スイッチ１０と、上記切替スイッチを構成する左右スイッチ１１，１２を有するスイッチ手段４をステアリングホイール３に設けた場合には、運転者がステアリングホイール３から手を離すことなく、上記上下スイッチ１０からなるスクロールスイッチを操作することができるため、上記表示手段２に表示された各文字の一つを入力位置１６に移動させる操作を容易に行うことができるという利点がある。
【００３８】
なお、上記上下スイッチ１０にスクロールスイッチとしての機能と入力スイッチとしても機能とを兼ね備えされてなる上記実施形態に代え、上記左右スイッチ１１，１２の一方等を入力スイッチとして使用するように構成してもよい。また、上記表示手段２の縦表示部７等に「あ」〜「ん」からなる複数のかな文字を表示させ、このかな文字に基づく入力操作を行うように構成してもよい。さらに、上記実施形態では、スイッチ手段４の上下スイッチ１０等を使用した文字入力に応じて上記ナビゲーション装置５を操作するようにした例について説明したが、これに限定されることなく、自動車用電話、オーディオ装置または車載ゲーム機等からなる車両電装品の操作装置として上記構成を採用することが可能である。
【図面の簡単な説明】
【００３９】
【図１】本発明の実施形態に係る車両電装品の操作装置が搭載部位の構成を示す説明図である。
【図２】スイッチ手段の具体的構成を示す説明図である。
【図３】車両電装品の操作装置の具体的構成を示すブロック図である。
【図４】表示手段の具体的構成を示す説明図である。
【図５】本発明の作用を示す図４相当図である。
【図６】本発明の作用を示す図４相当図である。
【図７】表示手段の別の具体例を示す図４相当図である。
【図８】表示手段のさらに別の具体例を示す図４相当図である。
【図９】表示手段の参考例を示す説明図である。
【符号の説明】
【００４０】
２  表示手段
３  ステアリングホイール
４  スイッチ手段
７  縦表示部
８  第１横表示部
９  第２横表示部
１０  上下スイッチ（スクロールスイッチ、入力スイッチ）
１９  第２縦表示部
【図１】
2008049817.tif 000003
【図２】
2008049817.tif 000004
【図３】
2008049817.tif 000005
【図４】
2008049817.tif 000006
【図５】
2008049817.tif 000007
【図６】
2008049817.tif 000008
【図７】
2008049817.tif 000009
【図８】
2008049817.tif 000010
【図９】
2008049817.tif 000011